(57)【要約】【課題】剪定作業時における切屑の排出方向を作業者方向以外に向けることを可能にして、作業性の改善を図る。【解決手段】操作棹４と、操作棹４の末端に設けられるエンジン部と、操作棹４の先端に設けられるギヤケース５と、ギヤケース５の一方の側面に設けられてエンジン部により回転駆動されるスプロケット２５と、前記側面に取り付けられるチェンバー６と、スプロケット２５及びチェンバー６の両方に架け渡されるソーチェン７と、スプロケット２５及びチェンバー６の取付部分を覆うようにギヤケース５に設けられるサイドカバー９とを備え、サイドカバー９の側面に側面切屑排出口１３が設けられた構成である。【選択図】図１
2014147338.tif 000002
【特許請求の範囲】
【請求項１】
操作棹と、
前記操作棹の先端に設けられるスプロケット及びチェンバーと、
前記スプロケットを回転駆動する駆動源と、
前記スプロケット及び前記チェンバーの両方に架け渡されるソーチェンと、
前記スプロケット及び前記チェンバーの取付部分を覆うように設けられるサイドカバーとを備え、
前記サイドカバーに側面切屑排出口が設けられていることを特徴とするポールソー。
【請求項２】
前記側面切屑排出口と連通するように切屑排出パイプが前記サイドカバーに設けられていることを特徴とする請求項１に記載のポールソー。
【請求項３】
前記切屑排出パイプに、略直角に湾曲した筒状の切屑排出ノズルが任意の角度で固定できるように設けられていることを特徴とする請求項２に記載のポールソー。
【請求項４】
前記切屑排出パイプに、略直角に湾曲した筒状の切屑排出ノズルが回転自在に設けられていることを特徴とする請求項２に記載のポールソー。
【発明の詳細な説明】
【技術分野】
【０００１】
本発明は、樹木及び庭木の高い位置の枝を切断して剪定作業を行うポールソーに関するものである。
【背景技術】
【０００２】
図７は従来のポールソーの全体構成であって、駆動源としてのエンジン部１に、スロットルレバーを有するグリップハンドル２、ループハンドル３及びギヤケース５が備えられた操作棹（ポール）４を連結した構造である。操作棹４の先端に取り付けられたギヤケース５には、図９及び図１０に示すようにソーチェン７の走行をガイドするチェンバー６が固定されるとともに、ソーチェン７を走行駆動するギヤケース５の動力伝達部（エンジン部１で回転駆動されるスプロケット及びチェンバー６の取付部）を覆うサイドカバー９が取り付けられている。また、図８に示すように、操作棹４には肩掛ベルト８が設けられている。
【０００３】
図７のポールソーを用いた剪定作業においては、図８に示すように、作業者は肩掛ベルト８を肩に掛け、ポールソー本体（ここでは操作棹４及びこの両端のエンジン部１及びギヤケース５を含む部分）を作業者の右側に肩から吊り下げる形で保持し、ハンドル３及びグリップ２を握り、長い操作棹４先端の先端工具部（つまりチェンバー６及びソーチェン７を有する部分）を剪定する樹木または庭木の枝の高い位置まで持ち上げ、操作棹４先端のチェンバー６外縁部を走行するソーチェン７にて枝を切断し剪定を行う。
【０００４】
また、ポールソーの操作棹先端の先端工具部は図９に示すようにサイドカバー９の下部から後部へかけて切屑排出口１０が設けられていたため、作業者が高い位置にある枝を切断する場合、図１０に示すように切断対象物としての枝１１に先端工具部を押し当てるとチェンバー８の外縁を走行するソーチェン７が枝１１を切削することで生じた切屑１２が高速で回転駆動するソーチェン７の動きに合わせてサイドカバー９の内部に入り、サイドカバー９の下部から後部へかけて設けられた切屑排出口１０から外へ勢いよく排出される。このため剪定作業時において高い位置にある操作棹先端の先端工具部から斜め下の作業者のいる方向へ向けて切屑１２が勢いよく排出されるため、切屑１２が作業者に向けて飛散したり、作業者が多量の切屑１２に覆われたりした。
【０００５】
ポールソーの全体構成を示すものとして、下記特許文献１があり、またチェンソーにおける切粉の処理について下記特許文献２がある。
【先行技術文献】
【特許文献】
【０００６】
【特許文献１】特表２００６−５２３１０２号公報
【特許文献２】実公昭５８−１４６７５号公報
【０００７】
特許文献１はポールソーにおける切屑の処理改善についてとくに言及は無い。また、特許文献２は従来技術の記載において、電動機の冷却風を下向きに偏向させるとともに、冷却風とともに切粉を排出する構成が記載されている。但し、ポールソーにおいては駆動源と先端工具部とが離れているので、切粉の排出方向を偏向させるのに駆動源の冷却風を利用することはできない。
【発明の概要】
【発明が解決しようとする課題】
【０００８】
上述したように、ポールソーを用いた剪定作業時において、高い位置にある操作棹先端の先端工具部から斜め下の作業者のいる方向へ向けて切屑が勢いよく排出されるため、切屑が作業者の目に入ったり、作業者が多量の切屑に覆われたりする問題があった。
【０００９】
本発明はこうした状況を認識してなされたものであり、その目的は、剪定作業時における切屑の排出方向を作業者方向以外に向けることを可能にして、作業性の改善を図ったポールソーを提供することにある。
【課題を解決するための手段】
【００１０】
本発明のある態様はポールソーである。このポールソーは、操作棹と、前記操作棹の先端に設けられるスプロケット及びチェンバーと、前記スプロケットを回転駆動する駆動源と、前記スプロケット及び前記チェンバーの両方に架け渡されるソーチェンと、前記スプロケット及び前記チェンバーの取付部分を覆うように設けられるサイドカバーとを備え、前記サイドカバーに側面切屑排出口が設けられていることを特徴とする。
【００１１】
前記態様において、前記側面切屑排出口と連通するように切屑排出パイプが前記サイドカバーに設けられているとよい。
【００１２】
前記態様において、前記切屑排出パイプに、略直角に湾曲した筒状の切屑排出ノズルが任意の角度で固定できるように設けられているとよい。
【００１３】
前記態様において、前記切屑排出パイプに、略直角に湾曲した筒状の切屑排出ノズルが回転自在に設けられているとよい。
【００１４】
なお、以上の構成要素の任意の組合せ、本発明の表現を方法やシステムなどの間で変換したものもまた、本発明の態様として有効である。
【発明の効果】
【００１５】
本発明に係るポールソーによれば、剪定作業時における切屑の排出方向を作業者方向以外に向けることを可能にして、作業性の改善を図ることができる。すなわち、剪定作業時に切屑が作業者の目に入ったり、作業者が多量の切屑に覆われたりすることを防ぐことが出来る。
【図面の簡単な説明】
【００１６】
【図１】本発明に係るポールソーの第１の実施の形態であって、操作棹の先端側の要部構成を示す側面図。
【図２】同平面図。
【図３】本発明に係るポールソーの第２の実施の形態であって、操作棹の先端側の要部構成を示す正面図。
【図４】第２の実施の形態における切屑排出状況を示す要部側面図。
【図５】本発明に係るポールソーの第３の実施の形態であって、操作棹の先端側の要部構成を示す側面図。
【図６】第３の実施の形態における切屑排出状況を示す要部側面図。
【図７】従来のポールソーの全体構成を示す斜視図。
【図８】従来のポールソーの剪定作業図。
【図９】従来のポールソーにおける操作棹の先端側の要部構成を示す側面図。
【図１０】従来のポールソーにおける切屑排出状況を示す要部側面図。
【発明を実施するための形態】
【００１７】
以下、図面を参照しながら本発明の好適な実施の形態を詳述する。なお、各図面に示される同一または同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００１８】
図１及び図２は本発明に係るポールソーの第１の実施の形態であって、操作棹４の先端側の要部構成を示す。それ以外の部分は図７の全体構成と同じであるので説明は省略する。
【００１９】
図１に示すように、操作棹４の先端にはギヤケース５が連結固定されており、ギヤケース５の一方の側面にスプロケット２５が設けられている。このスプロケット２５は操作棹４の末端に設けられた駆動源としてのエンジン部により回転駆動されるようになっている。具体的にはエンジン部で回転駆動される回転軸が中空構造の操作棹４の内部を貫通しており、その回転軸の回転がギヤケース５内部のギヤ機構を介してスプロケット２５に伝動される。また、スプロケット２５と同じ側のギヤケース５側面にチェンバー（ガイドバー）６が取り付け、固定されている。ソーチェン７はチェンバー６及びスプロケット２５の両方に架け渡され、スプロケット２５の回転に伴い矢印の方向に走行駆動される。チェンバー６及びこれでガイドされるソーチェン７が先端工具部を構成している。
【００２０】
ギヤケース５の前記一方の側面には、チェンバー６の取付部分及びスプロケット２５を覆うようにサイドカバー９が取り付けられている。このサイドカバー９はソーチェン７を回転駆動させるギヤケース５の動力伝達部、つまりスプロケット２５周辺部を保護するものである。サイドカバー９の側面に側面切屑排出口１３が設けられている。側面切屑排出口１３の内側には、切屑等の大きな異物が入らないようにガード２１が設けられている。また側面切屑排出口１３の外縁部には、排出口１３を囲むように真っ直ぐな切屑排出パイプ１４が一体的に設けられている。切屑排出パイプ１４は排出口１３と連通している。また、ギヤケース５とサイドカバー９がはめ合わせされた上部のソーチェン７の出口部には切屑１２が漏れ出るのを防止するゴム等の柔軟な材質による切屑カバー１５が設けられている。
【００２１】
上記構成において、ポールソーにて剪定作業を行った場合、図２に示すように走行駆動するソーチェン７が切断対象物としての枝１１を切削する際に生じた切屑１２はソーチェン７の動きに合わせてサイドカバー９の内部に入り、切屑カバー１５によりサイドカバー前方上部のソーチェン７の出口から漏れ出すことなく、サイドカバー９の側面に開けられた側面切屑排出口１３から切屑排出パイプ１４を通りサイドカバー９の左方向へ排出される。
【００２２】
本実施の形態によれば、下記の効果を奏することができる。
【００２３】
(1) 剪定作業時における切屑の排出方向を作業者方向以外、つまりサイドカバー９の側方に向けることが可能である。このため、剪定作業時に切屑が作業者に向けて飛散したり、作業者が多量の切屑に覆われたりすることを防ぐことが出来、ひいては作業性の改善を図ることができる。
【００２４】
(2) 側面切屑排出口１３及び切屑排出パイプ１４はサイドカバー９の側方に突出するため、ソーチェン７による切断箇所を作業者が目視することを妨げることが無い。つまり、切断箇所の視認性が良好である。
【００２５】
図３及び図４は本発明に係るポールソーの第２の実施の形態であって、操作棹４の先端側の要部構成を示す。この場合、図３に示すように切屑排出パイプ１４の外側には略直角（略９０°）湾曲した筒状の切屑排出ノズル１６が設けられ、任意の角度に固定できるように切屑排出パイプ１４に嵌着されている。これにより切屑排出ノズル１６の先端開口である切屑ノズル排出口１７は任意の方向に向けることが可能となる。その他の構成は前述の第１の実施の形態と同様である。
【００２６】
上記構成において、ポールソーにて剪定作業を行った場合、図４に示すように切屑排出ノズル１６は任意の角度で固定されるよう切屑排出パイプ１４に嵌合されているため、側面切屑排出口１３を通った切屑１２は切屑排出ノズル１６の内面に沿って進み、任意の方向に向けられた切屑ノズル排出口１７から排出される。
【００２７】
図５及び図６は本発明に係るポールソーの第３の実施の形態であって、操作棹４の先端側の要部構成を示す。この場合、図５に示すように切屑排出パイプ１４の外側には略直角（略９０°）湾曲した筒状の切屑排出ノズル１６が回動自在に設けられ（枢結）され、これにより切屑排出ノズル１６は自重により切屑ノズル排出口１７が下向きになるように回動する。但し、切屑排出ノズル１６の連結基部上に設けられた（一体に形成された）第１ストッパー１８が、サイドカバー９に設けられた（一体に形成された）第２ストッパー１９又は第３ストッパー２０に当接したときに衝止されることにより、切屑ノズル排出口１７の向きはポールソー本体に対し垂直下方向からポールソー本体を垂直に立てた場合でも作業者に切屑１２が当たらない範囲（約６０°）に制限される。その他の構成は前述の第１の実施の形態と同様である。
【００２８】
上記構成において、ポールソーにて剪定作業を行った場合、図６に示すように切屑排出ノズル１６はポールソー本体を先端を上へ傾けても切屑排出ノズル１６は自重により切屑ノズル排出口１７を下向きになるように回動するため、常に切屑１２は下へ向けて排出される。但し、切屑排出ノズル１６上に設けられた第１ストッパー１８とサイドカバー９上に設けられた第２ストッパー１９が当接することにより、ポールソー本体の前方を下へ傾けても切屑排出ノズル１６は垂直下方向より前方へは回動しない。これは切屑排出ノズル１６が枝１１と緩衝しないようにするためである。また、切屑排出ノズル１６上に設けられた第１ストッパー１８とサイドカバー９上に設けられた第３ストッパー２０が当接することにより、ポールソー本体の前方を上へ垂直に傾けても切屑排出ノズル１６は垂直下方向なるまでは回動しない。これはポールソー本体の先端を真上へ向けても、その真下にいる作業者へ向けて切屑１２が排出されないようにするためである。
【００２９】
以上、実施の形態を例に本発明を説明したが、実施の形態の各構成要素や各処理プロセスには請求項に記載の範囲で種々の変形が可能であることは当業者に理解されるところである。以下、変形例について触れる。
【００３０】
上記の実施の形態は、エンジン駆動のポールソーであるが、駆動源として電動モータを使用したポールソーにも本発明は適用可能である。
【００３１】
上記第３の実施の形態において、切屑排出ノズル１６の回動範囲を規制するためにストッパー１８，１９，２０を設けたが、切屑排出ノズル１６の回動範囲を規制する手段はこれに限定されず任意である。例えば、切屑排出パイプ１４の外周にストッパとして凸部を形成し、切屑排出ノズル１６に前記凸部が係合する長溝部又は長穴部を形成して切屑排出ノズル１６の回動範囲を規制してもよい。
【符号の説明】
【００３２】
１ エンジン部
２  グリップ
３  ハンドル
４  操作棹
５  ギヤケース
６  チェンバー
７  ソーチェン
８  肩掛ベルト
９  サイドカバー
１０  切屑排出口
１１  枝
１２  切屑
１３  側面切屑排出口
１４  切屑排出パイプ
１５  切屑カバー
１６  切屑排出ノズル
１７  切屑ノズル排出口  
１８，１９，２０  ストッパー
２５  スプロケット
【図１】
2014147338.tif 000003
【図２】
2014147338.tif 000004
【図３】
2014147338.tif 000005
【図４】
2014147338.tif 000006
【図５】
2014147338.tif 000007
【図６】
2014147338.tif 000008
【図７】
2014147338.tif 000009
【図８】
2014147338.tif 000010
【図９】
2014147338.tif 000011
【図１０】
2014147338.tif 000012